(57)【要約】      （修正有）【課題】巻物を効率的に裁断することができる裁断装置を提供する。【解決手段】巻物裁断装置１は、裁断刃１２と、回転軸部１４ａと、支点１６ａを中心として回動する回動部とを有する。巻物Ｒは回転軸部に設置され、引き出し部分である端部は、回動部の動棒１６ｃと、静棒１８との間に挟み込まれる。利用者は、支点１６ｄを中心として、回動部の腕１６ａを押下げることにより、係止突起部１６ｂを回転軸部から外し、巻物から連続してシートを引き出すことができる。次に、利用者は、引き出されたシートを裁断刃１２の方向に引き上げる。ばね２０の弾性力により、支点１６ｄを中心として、回動部の腕１６ａが引き上げられ、係止突起部が回転軸部に接触し回転を止める。利用者は、裁断刃を用いて、引き出されたシートを容易に裁断することができる。【選択図】図１
0003184756.tif 000002
【実用新案登録請求の範囲】
【請求項１】
回転軸と、
棒状の部材であって、一方の端部に支点を備え、該支点を中心として回動する腕木部と、
前記腕木部の他方の端部に、前記回転軸に取り付けられる巻物の端部を掛ける突出部と、
前記腕木部の支点及び前記突出部の間に設けられ、前記回転軸の回転を止める係止部と
を有し、
回動する前記腕木部と前記回転軸との距離が最短となる地点の該腕木部に、前記係止部を設けられる
裁断装置。
【請求項２】
弾性力によって、前記腕木部が前記回転軸に接近する回動方向に付勢する付勢部
をさらに有し、
前記腕木部は、前記付勢部による付勢によって、前記回転軸に接近し、
前記係止部は、前記腕木部が前記回転軸に接近することによって、前記回転軸に接触して、該回転軸の回転を止める
請求項１に記載の裁断装置。
【請求項３】
前記係止部が前記回転軸に接触した状態の前記腕木部からみて、該腕木部が前記付勢部によって付勢される方向に設けられた、巻物の端部を裁断するための刃
をさらに有する請求項１に記載の裁断装置。
【考案の詳細な説明】
【技術分野】
【０００１】
本考案は、裁断装置に関するものである。
【背景技術】
【０００２】
例えば、特許文献１では、壁に固定する紙巻器基部に、上蓋を取付けると共に巻紙を支える支軸を取付け、この支軸で支えた巻紙を前記上蓋の前縁部で適宜の長さに切断することができる紙巻器において、前記上蓋は、紙巻器基部に上下動不能に固定する又は高トルクでのみ上下動可能に取付け、前記支軸は、上蓋側へ移動する弾発部材を備え、巻紙を上蓋側へ常時付勢するように構成したことを特徴とする紙巻器として開示されている。
【先行技術文献】
【特許文献】
【０００３】
【特許文献１】特開２００５−２３０１０６号公報
【考案の概要】
【考案が解決しようとする課題】
【０００４】
本考案は、巻物を効率的に裁断できる裁断装置を提供することを目的とする。
【課題を解決するための手段】
【０００５】
本考案に係る裁断装置は回転軸と、棒状の部材であって、一方の端部に支点を備え、該支点を中心として回動する腕木部と、前記腕木部の他方の端部に、前記回転軸に取り付けられる巻物の端部を掛ける突出部と、前記腕木部の支点及び前記突出部の間に設けられ、前記回転軸の回転を止める係止部とを有し、回動する前記腕木部と前記回転軸との距離が最短となる地点の該腕木部に、前記係止部を設けられる。
【０００６】
好適には、弾性力によって、前記腕木部が前記回転軸に接近する回動方向に付勢する付勢部をさらに有し、前記腕木部は、前記付勢部による付勢によって、前記回転軸に接近し、前記係止部は、前記腕木部が前記回転軸に接近することによって、前記回転軸に接触して、該回転軸の回転を止める。
【０００７】
好適には、前記係止部が前記回転軸に接触した状態の前記腕木部からみて、該腕木部が前記付勢部によって付勢される方向に設けられた、巻物の端部を裁断するための刃をさらに有する。
【考案の効果】
【０００８】
本考案によれば、巻物の回転を止めることにより、巻物を効率的に裁断できる。
【図面の簡単な説明】
【０００９】
【図１】本実施形態に係る巻物裁断装置１の概要を説明する図である。
【図２】本実施形態に係る巻物裁断装置１の構成を例示する図である。
【図３】本実施形態に係る巻物裁断装置１の実施手順（ａ）及び（ｂ）を説明する図である。
【図４】本実施形態に係る巻物裁断装置１の実施手順（ｃ）及び（ｄ）を説明する図である。
【図５】本実施形態の変形例を説明する図である。
【考案を実施するための形態】
【００１０】
以下、本考案の実施形態の構成を、図面を参照して説明する。ただし、本考案の範囲は、図示例に限定されるものではない。
【００１１】
まず、図１を用いて、本実施形態に係る巻物裁断装置１の概要を説明する。
図１は、本実施形態に係る巻物裁断装置１の概要を説明する図である。
図１に例示するように、巻物裁断装置１は、少なくとも、裁断刃１２と、回転する回転軸部１４と、支点を中心として回動する回動部１６とを有する。
図１（ａ）に例示するように、巻物裁断装置１は、例えば、長手方向に連続するシートを筒型の芯に巻き付けられる巻物Ｒを回転軸部１４に設置される。
ここで、巻物Ｒは、例えば、繊維素材で構成される。巻物Ｒは、例えば、巻紙（ロール紙）であり、具体的には、トイレットペーバー、キッチンペーバー、又は、クッキングシート等である。本実施形態では、巻物Ｒは、和紙や洋紙などの紙製品を例として説明する。しかし、巻物Ｒは、これに限定せず、例えば、アルミニウム合金のような金属素材のものでもよい。また、巻物Ｒは、芯を具備しなくてもよく、軸部１４ａに差込むことができるならば、構成素材や、巻取径を適宜に変更することができる。
【００１２】
図１（ｂ）に例示するように、巻物裁断装置１は、回転軸部１４に設置された巻物Ｒの引き出し部分である端部を、回動部１６の有する動棒１６ｃと、静棒１８との間に挟み込むように設置される。
まず、利用者は、巻物Ｒよりシートの端部を引き出す。
巻物裁断装置１は、利用者に巻物Ｒから引き出されるシートにより、支点１６ｄを中心として、回動部１６の腕１６ａを押下げられる。巻物裁断装置１は、腕１６ａを押下げられることにより、係止突起部１６ｂが回転軸部１４から外れ、回転軸部１４の回転止めを解除される。よって、巻物裁断装置１は、係止突起部１６ｂを押し下げられることにより、回転軸部１４の回転を可能とする。
利用者は、巻物Ｒを設置される回転軸部１４の回転が可能となることで、巻物Ｒから連続してシートを引き出すことができる。
【００１３】
次に、利用者は、巻物Ｒより既定量のシートを引き出し、引き出されたシートを裁断する。
巻物裁断装置１は、係止突起部１６ｂが回転軸部１４に接触した状態の腕１６ａからみた場合に、腕１６ａがばね２０によって付勢される方向に裁断刃１２を有する。巻物裁断装置１は、利用者により、引き出されたシートを裁断刃１２の方向に引き上げられる。巻物裁断装置１は、ばね２０の弾性力に付勢されることにより、支点１６ｄを中心として、回動部１６の腕１６ａを引き上げられる。巻物裁断装置１は、腕１６ａが回転軸部１４に接近することによって、腕１６ａに設けられる係止突起部１６ｂが回転軸部１４に接触し回転を止める。
よって、巻物裁断装置１は、巻物Ｒからの更なるシートの引き出しを防止する。
したがって、利用者は、裁断刃１２を用いて、巻物Ｒより引き出されたシートを容易に裁断することができる。
【００１４】
次に、図２を用いて、本実施形態に係る巻物裁断装置１の構成を説明する。
図２は、本実施形態に係る巻物裁断装置１の構成を例示する図である。
図２（ａ）は、腕１６ａの上昇時を例示し、図２（ｂ）は、腕１６ａの下降時を例示する。
巻物裁断装置１は、木材部材、金属部材、または、合成樹脂部材のいずれかを選択してもよく、適宜に変更することができる。
図２に例示するように、巻物裁断装置１は、プレート１０、裁断刃１２、回転軸部１４、回動部１６、静棒１８、ばね２０、及び、脚部２２により構成される。
【００１５】
プレート１０は、後述する裁断刃１２、回転軸部１４、回動部１６、静棒１８、ばね２０、及び、脚部２２を取り付けられる。プレート１０は、略直方体を形成し、面積の広い面のうち、少なくとも一方に、裁断刃１２、回転軸部１４、回動部１６、静棒１８、及び、ばね２０を取り付けられる。プレート１０は、用途に応じて、形状や大きさを適宜に変更することができる。
【００１６】
裁断刃１２は、本考案に係る刃の一例である。
裁断刃１２は、巻物Ｒより引き出されるシートを裁断する。裁断刃１２は、裁断しやすい形状を有するならば、適宜に本体の形状や刃物の形状を変更することができる。また、裁断刃１２は、巻物Ｒの短手方向の長さに応じた長さに対応できるように交換可能、または、伸縮可能となるように構成されてもよい。
裁断刃１２は、係止突起１６ｂが回転軸部１４に接触した状態の腕１６ａからみた場合に、腕１６ａがばね２０によって付勢される方向に設けられる。
【００１７】
回転軸部１４は、本考案に係る回転軸の一例である。
回転軸部１４は、プレート１０に取り付けられ、回転することができる。
また、回転軸部１４は、軸部１４ａ、及び、軸支部１４ｂにより構成される。
軸部１４ａは、巻物Ｒを取り付けることのできる棒である。軸部１４ａは、巻物Ｒの芯に適応する形状に形成される。本実施形態での軸部１４ａは、略四角柱の形状を例示しているが、これに限定するものではなく、形状、軸方向の長さ、及び、径を適宜に変更することができる。
【００１８】
軸支部１４ｂは、軸部１４ａを支持し、回転できるようにプレート１０に取り付けられる。軸支部１４ｂは、後述する回動部１６に係合されるための溝１４ｃを周縁に有する。本実施形態での軸支部１４ｂは、円板状に構成されるが、これに限定するものではなく、形状、厚さ、及び、直径を適宜に変更することができる。また、溝１４ｃは、数、形状、及び、配置場所を適宜に変更することができる。
【００１９】
回動部１６は、腕１６ａ、係止突起１６ｂ、動棒１６ｃ、及び、支点１６ｄにより構成される。
腕１６ａは、本考案に係る腕木部の一例である。
腕１６ａは、棒状に形成される。腕１６ａは、一方の端部に、支点１６ｄを有し、支点１６ｄを支点として回動可能となるように、プレート１０に取り付けられる。また、腕１６ａは、他方の端部に、動棒１６ｃを有し、動棒１６ｃの近傍に静棒１８に適する形状をする凹みを有する。また、腕１６ａは、溝１４ｃに適する係止突起１６ｂを、動棒１６ｃと支点１６ｄとの間に設置される。また、腕１６ａは、ばね２０に接続される。腕１６ａは、長さ及び形状を適宜に変更することができる。
【００２０】
係止突起１６ｂは、本考案に係る係止部の一例である。
係止突起１６ｂは、腕１６ａに具備される突出物であり、溝１４ｃに係合する形状をする。係止突起１６ｂは、動棒１６ｃと支点１６ｄとの間に設置される。係止突起１６ｂは、腕１６ａが係止突起１６ｂに接近することによって、係止突起１６ｂに接触して回転軸部１４の回転を止める。［図２（ａ）］
【００２１】
動棒１６ｃは、本考案に係る突出部の一例である。
動棒１６ｃは、腕１６ａに具備される支点１６ｄとは他方の端部に設置される。動棒１６ｃは、略円柱状を形成する突出部である。動棒１６ｃは、回転軸部１４に設置される巻物Ｒの端部を掛けることができる。動棒１６ｃは、少なくとも、巻物Ｒの短手方向の長さに対応できる長さを有することが好適である。
【００２２】
支点１６ｄは、腕１６ａの回動するための支点である。支点１６ｄは、腕１６ａに具備される動棒１６ｃとは他方の端部に設置される。
【００２３】
静棒１８は、プレート１０に設置される略円柱状を形成する突出部である。静棒１８は、腕１６ａに具備される動棒１６ｃの近傍にある凹みに接触するように設置される。静棒１８は、動棒１６ｃと同様に、少なくとも、巻物Ｒの短手方向の長さを有することが好適である。
【００２４】
ばね２０は、本考案に係る付勢部の一例である。
図２（ａ）及び図２（ｂ）に例示するように、ばね２０は、弾性力により、腕１６ａが回転軸部１４に接近する回動方向に付勢する。ばね２０は、支点１６ｄを支点として腕１６ａを付勢する。ばね２０は、長さや引張強さを、場合に応じて適宜に変更することができる。本実施形態に係るばね２０は、プレート１０に加工された溝に収まるように設置される。
【００２５】
脚部２２は、プレート１０を支持する。脚部２２は、プレート１０を支持することができるならば、場合に応じて形状を適宜に変更することができる。
【００２６】
次に、本実施形態に係る巻物裁断装置１の実施手順を説明する。
図３は、本実施形態に係る巻物裁断装置１の実施手順（ａ）及び（ｂ）を説明する図である。
図３（ａ）は、巻物Ｒを設置された様子を例示する図である。
図３（ａ）に例示するように、軸部１４ａは、利用者により巻物Ｒを取り付けられる。また、動棒１６ｃ、及び、静棒１８は、巻物Ｒの引き出し部分を、挟み込むように設置される。このとき、腕１６ａは、ばね２０の弾性力により引き上げられ、静棒１８に接触している。また、係止突起１６ｂは、溝１４ｃに係合しており、回転軸部１４の回転を停止する。
【００２７】
図３（ｂ）は、巻物Ｒを引き出す様子を例示する図である。
図３（ｂ）に例示するように、動棒１６ｃを具備する腕１６ａは、利用者に巻物Ｒから端部を引き出されることにより、支点１６ｄを中心として押し下げられる。係止突起１６ｂは、腕１６ａを押下げられることにより、係合している溝１４ｃから外されるため、回転軸部１４の回転を可能とする。
利用者は、回転軸部１４の回転を可能とすることにより、巻物Ｒから連続してシートを引き出すことができる。
【００２８】
図４（ｃ）は、巻物Ｒの引き出しを停止した様子を例示する図である。
図４（ｃ）に例示するように、利用者は、裁断刃１２を用いてシートを裁断するため、巻物Ｒより引き出されるシートを引き上げる。このとき、回動部１６の具備する腕１６ａは、ばね２０によって、腕１６ａが回転軸部１４に接近する回動方向に付勢されることにより、支点１６ｄを中心として、腕１６ａを引き上げられる。よって、回動部１６は、図３（ａ）と同様の位置となる。
係止突起部１６ｂは、回動部１６の具備する腕１６ａを引き上げられることにより、回転する軸支部１４ｂの側面に接触し、溝１４ｃに係合することにより、回転軸部１４の回転を再び止めることができる。よって、巻物裁断装置１は、巻物Ｒからの更なるシートの引き出しを防止する。
【００２９】
図４（ｄ）は、巻物Ｒを裁断した様子を例示する図である。
図４（ｄ）に例示するように、利用者は、係止突起部１６ｂによる回転軸部１４の回転の抑制により、シートの更なる引き出しを防止できるため裁断刃１２を用いて、シートを容易に裁断することができる。
また、裁断刃１２は、動棒１６ｃ及び静棒１８よりプレート１０の外縁側に位置する。そのため、裁断刃１２を用いて巻物Ｒの端部を裁断した場合、裁断された巻物Ｒに連続するシート部分は、裁断刃１２と、動棒１６ｃ及び静棒１８との間に残存する。この残存するシート部分は、次に巻物Ｒから引き出すための引き出し部とすることができる。
また、裁断刃１２の有する刃は、動棒１６ｃ及び静棒１８よりプレート１０の外縁側に位置することにより、巻物Ｒの端部を裁断した場合に、残存するシート部分が回転軸部１４の方向へ倒れることを防止することができる。
【００３０】
以上、説明したように、本実施形態に係る巻物裁断装置１は、巻物Ｒより引き出されたシートを裁断するために好適である。
巻物裁断装置１は、引き出されたシートにより、支点１６ｄを中心として動棒１６ｃを具備する腕１６ａを押し下げられる。巻物裁断装置１は、腕１６ａを押し下げられることで回転軸部１４から係止突起部１６ｂが外れ、回転軸部１４の回転を可能とする。
また、巻物裁断装置１は、シートを裁断刃１２の方向に引き上げることにより、支点１６ｄを支点として、ばね２０の弾性力を用いて回転軸部１４の方向に腕１６aを引き上げられる。巻物裁断装置１は、引き上げられる腕１６ａの具備する係止突起１６ｂと、溝１４ｃとを再び係合させることにより、回転軸部１４の回転を不能とすることができる。
よって、巻物裁断装置１は、回転軸部１４の回転を止めることによって巻物Ｒの端部を容易に裁断させることができる。
【００３１】
以上、本考案に係る実施形態について説明したが、これらに限定されるものではなく、本考案の趣旨を逸脱しない範囲内において、種々の変更、追加等が可能である。
【００３２】
［変形例］
次に、上記実施形態の変形例を説明する。
図５は、本実施形態の変形例を説明する図である。
上記実施形態では、ばね２０を動棒１６ｃと、支点１６ｄとの間となるよう配置したが、これに限定するものではなく、図５に例示するように、支点１６ｄの方向に伸長された腕１６ａの端部近傍にばね２０を配置する形態としてもよい。ばね２０は、伸長された腕１６ａの端部近傍に配置されることにより、動棒１６ｃ及び静棒１８の閉まりを強固にすることができる。よって、動棒１６ｃ及び静棒１８は、残存するシート部分をより強く挟み込むことができる。
【符号の説明】
【００３３】
１        巻物裁断装置
Ｒ        巻物
１０      プレート
１２      裁断刃
１４      回転軸部
１４ａ    軸部
１４ｂ    軸支部
１６      回動部
１６ａ    腕
１６ｂ    係止突起
１６ｃ    動棒
１６ｄ    支点
１８      静棒
２０      ばね
２２      脚部
【図１】
0003184756.tif 000003
【図２】
0003184756.tif 000004
【図３】
0003184756.tif 000005
【図４】
0003184756.tif 000006
【図５】
0003184756.tif 000007